(57)【要約】【課題】  比較的低い内圧のまま少量の水を送水経路に沿って経路周辺に均等に散水できない点である。【解決手段】  親水素材（１）と不透水素材（１０）を用いて通水用の筒部分を形成する一方、この筒部分の親水素材に連続して横方向に延びる親水素材の袖を形成し、他方、前記袖を被散水面に被せるように広げて設置した後、前記筒部分に通水して筒部分の親水素材から滲み出す水で前記袖を濡らし周囲に拡散させ袖を給水面として利用する。【選択図】図２
2009281126.tif 000002
【特許請求の範囲】
【請求項１】
不透水素材と親水素材を筒状に連結して通水用の筒部分を形成する一方、この筒部分の親水素材に連続して横方向に延びる親水素材の袖を設け、他方、前記袖を被散水面に被せるように広げて設置した後、前記筒部分に通水して筒部分の親水素材から滲み出す水で前記袖を濡らし周囲に拡散させ袖を給水面として利用する被散水面への給水方法。
【請求項２】
請求項１に記載された被散水面への給水方法において、横方向に延びる親水素材の袖は筒部分の左右両側に設置され、前記被散水面が折板屋根の凸部または尾根であり、前記筒部分は折板屋根の凸部頂上または尾根上に位置し、両側の袖がこれら凸部または尾根を挟み跨がるように設置されて筒部分の位置決めが行われる被散水面への給水方法。
【請求項３】
請求項１に記載された被散水面への給水方法において、前記親水素材の裏側表面の少なくとも一部に防水層がラミネートされている被散水面への給水方法。
【発明の詳細な説明】
【技術分野】
【０００１】  本発明は、通水手段で水を送水し通水手段に連続する袖へ水を誘導して拡散させる給水方法、より具体的には親水素材の通水手段を透過して水を滲み出させ、通水手段に連続する袖で水を吸引し誘導することにより水を広範囲に分配する被散水面への給水方法に係る。この給水方法は、豪雪地では、冬期に温水の散水用として融雪目的のために利用でき、夏期には散水冷却用もしくは集熱用に利用することができる。
本明細書中では、説明の便宜上、融雪の用途に利用する事例を参考にして本発明を説明する。
【背景技術】
【０００２】  折板屋根は屋根構造が単純で耐圧性に優れているため、規模の大きな建物に多く見られる屋根形式である。こうした大型の折板屋根の融雪には地下水の散水方式が一般的であり、スプリンクラや噴射ノズル等の散布器を使用する事例が多く見られる。しかし、長時間にわたり多量の雪が降り続くと融雪が追いつかず、屋根凹凸面に対する熱媒体の斜め方向への散布では尾根が遮蔽物になって濡れムラができやすく、また粒子が外気中を飛翔するため大気への放熱ロスが大きい。また風雪が強くてスプレイ水が飛ばされてしまうときには散水の効果が失われる。このような状況下では雪溜りが拡大し残雪がつながって屋根表面を広範囲に雪が被り、下側にトンネルが形成され、やがては屋根全面が雪で覆われ積雪が拡大していく。【０００３】  合成樹脂成形品の散水チューブを用いた路面散水による融雪方法は周知である。チューブは側壁に多数のノズルを備え、スプレイ水を周囲に散逸させて広範囲に散水する構造のものである。散水量はノズルの数によってきまるので用途によっては水量の過不足が生じることもあるが、噴射水量と水の到達距離は内圧に比例して増減するためバルブ調整によって対応してきた。【０００４】  しかし、凹凸屋根面に散水する時には、水の噴射経路上の障害物のため噴射水はこれにぶつかって飛翔できず均等に分散できない。風があれば水は飛散してしまう。その結果、チューブ周辺に大量の水が滞ったり水のかからない場所が残され、水を無駄使いして散布面はマダラになる。融雪の用途では、地下水の量は限られているので、散布区域が必要面積をカバーできなければその影響は深刻である。また、ノズルチューブはノズル穿孔径が細かく詰まりやすいので、屋外に長期間放置したまま散水性能を維持することが難しい。スプリンクラーや噴射ノズルを使用した場合も同様である。【０００５】  屋根面への融雪散水の用途において、こうした欠点は広域給水と維持管理面で大きな障害である。具体的には、多数の散水器を使用し大量の散水をしないかぎり予定した散布面すべてに放水が到達しないので、融雪に使用した場合には雪溜りが生じるなどの問題があった。【０００６】  その対策として、周面から水が滲み出す円形断面のホースを選択する方法がある。その一例として、繊維材と樹脂を混練した複合材を押出し整形してなる可撓性ホースが使われているが、内圧を上げた状態で水を滲み出させる構造のため水を広範囲に分配することができない。
また、この種のホースは潰し変形に弱くホース壁に割れやヒビが入り噴出漏水が起こりやすい。破損による漏水量は大きいのでその時には送水を停止することになるが、水経路が連続しているので注水の停止は影響が給水経路全体に及ぶ。屋根上での給水は長期使用が前提であるので漏水の保守は使用者には容認しがたい。
さらに、こうした円形ホースは可撓性があるがために変形しやすく、また転がりやすいので実に扱いにくく、短区間ごとに多点で固定しなければ定位置に直線的に設置することが非常に難しい。
【特許文献１】特許第３５１２８５２号
【特許文献２】特開２００５−３４１８４０号公報
【発明の開示】
【発明が解決しようとする課題】
【０００７】  解決しようとする問題点は、比較的低い内圧のまま少量の水を送水経路に沿って経路周辺の広範囲に均等に給水できない点である。
【課題を解決するための手段】
【０００８】  本発明は、親水素材と不透水素材を用いて通水用の筒部分を形成し、筒部分の親水素材の透水性を利用して水の滲み出る送水経路とし、また筒部分の親水素材に連続する袖を形成する。この袖を被散水面に被せるように広げて設置した後、前記筒部分に通水して筒部分の親水素材から滲み出す水で前記袖を濡らし、袖を通じて周囲に拡散させ袖を給水面として利用する。
【発明の効果】
【０００９】  筒部分の一部から水を滲み出させ、他方、毛細管現象を利用してこの袖により水を吸引し誘導しながら拡散させるようにしたので、親水素材全面を給水面として使用することができる。
筒部分に水を包み込んで流しながら周囲に粛々と滲出させて給水でき、水をスムーズに広範囲に行き渡らせることができる。
【発明を実施するための最良の形態】
【００１０】  送水経路周辺に少量の水をムラなく均等に散布するという目的を、水を包み込む滲み出し送水路と周囲の吸水拡散領域を連続する親水素材を用いて構成し、送水系から散水領域の末端まで水を移動させることで実現した。
【実施例】
【００１１】  図１は、親水素材１と不透水素材１０を便宜的ではあるが上下の関係に示している。親水素材１は、例えば、織布や不織布、あるいは編布等の素材から作られている。図２では、親水素材は二つ折に畳んだ状態で図示されている。親水素材の上端２には不透水素材１０がＵ字状に曲がった状態で下向きに被せられている。図３は、親水素材の上端２と不透水素材１０の連結状態を示す図２の一部拡大図である。不透水素材１０の側縁１０ａと１０ｂは、親水素材１の左右の生地に対し重なった状態で固定されている。この固定方法は、親水素材と不透水素材の前記重なり部分をミシン縫いするか溶着して、または接着して行われる。図３に示す例では、不透水素材１０にはゴムコーティング布やテント地のような比較的柔軟な素材が使われている。
弾性変形可能な比較的剛性のある材料を不透水素材に用いた場合、図４に示すように不透水素材１０は予め配管の形に近い形態に成形されている。【００１２】  前述のごとくして、中空の通水用の筒部分３が形作られ、親水素材１０はこの筒部分の管壁の一部を構成している。比較的剛性のある材料を不透水素材に用いて筒部分を構成しておけば、筒部分は外圧を受けても変形しにくいので図８に示すように土中に埋設しても潰れにくい。
管壁の一部を構成する親水素材に連続する生地は、筒部分から延びる袖４を形成している。図２に示す親水素材の使い方によれば、左右の袖４の丈は同じであり、２枚の給水面が形成される。片方の袖を短くすれば、残る１枚の袖が筒部分から突出することになり、外観上は筒部分に対し片翼状の１枚の給水面が形成される。袖の長さは自由に選択することのできる設計事項である。また、図５のように親水素材の上端付近で、親水素材の生地を２枚重ねするようにして固定すれば、３枚の袖を形成することができる。袖を設置する場所は様々で、比較的平坦な路面、折板屋根のような凹凸面、図７に示すような棟笠木のような山形の部材表面２０、あるいは傾斜した鉄板屋根面などを覆う状態に敷いて設置される。また、前記袖を土壌に埋設したり（図８）、河川等の水中に浸けて使用することもできる。水中での使用に際し、袖は水流の流れ方向を規制する方向舵として使用される。袖は任意の方法でその姿勢を固定することができる。袖の設置姿勢は用途によって様々である。【００１３】  袖の裏側全面に防水層をラミネートすれば、水の露出する面は袖の表側に限定される。袖の裏側表面の一部に防水層をラミネートすれば、被散水面に水が接触する範囲は限定される。【００１４】  図６は、注水して筒部分が膨らんだ状態を示している。袖４は被散水面を覆っている。この形態では、水は親水素材の下側の管壁から滲み出し被散水面との間の空間３０に滞留し、袖に受け継がれていく。袖の裏側表面に防水ラミネート加工を施しているか否か、また粘着剤層を介して下地に接着されているか否かにより、水の横方向への移動形態は変化する。袖が被散水面に防水状態で接着されていれば、その箇所では袖に沿って移動する水は被散水面に接触しない。
親水素材と不透水素材をミシン縫いにより連結固定する場合、このミシン縫いの箇所より水が流出する。ホットプレス加工によりこの縫い目の透き間をつぶしてしまうこともできるが、そのまま散水ノズルとして使用することができる。この場合、袖には管壁から滲み出した水とミシン目より吹き出した細かいスプレー水が供給されることになる。【００１５】  筒部分の膨張状態は内圧によって変化し、また放出水量も変化する。柔軟な材料から筒部分が構成されている場合、筒部分への注入水量が少なければ筒部分は大きく膨らまず、水はゆっくりと滲み出していく。送水量を増やせば筒部分３は拡張し、水は滲み出す一方で微細な噴射水がミシン縫いした部分から不規則な向きに形成される。
親水素材から滲み出す水は毛細管現象により乾燥側へ吸引されて袖４に行き渡り、親水素材全面が給水面として機能する。
なお、袖の丈をどの程度の長さに設定するかは前述したように単なる選択事項である。【００１６】  縦方向はぜ巻き連結式の折板屋根に設置する場合、前記筒部分ははぜの上部に設置される。通常では、こうした種類の折板屋根は、凹所の谷部とはぜ巻き連結部の尾根および両者の間に位置する傾斜側面を備えている。袖４は尾根から傾斜側面にかけて屋根材を覆うようになる。
尾根の上部に位置している筒部分を流れる水は親水素材を透過して両側の袖に流出し、袖は流出水を含浸し拡散しながらスロープに沿って流下させ、水は折板屋根の谷部に集まり谷部に沿って排水される。【００１７】  親水素材を織布から構成した場合、筒部分はホースニップルに端部を差し込む際に引っ張った状態にして、また袖は長手方向の両端部を相対する方向に引っ張って縦糸にテンションを加えて固定することができる。筒部分と袖は緊張するので、袖は被散水面を両側から挟み筒部分は定位置に保持される。
親水素材および／または不透水素材に伸縮性を持たせることは可能である。【００１８】  親水素材に織布を用いる場合には、例えば、綾織や平織の繊維布構造が用いられる。筒部分には、水の移動方向に沿って透水性に劣る厚い布部分と、これに隣接した通水性に富む薄い布部分を並列に配置しておくことができる。厚い布部分は保水性に富む部分で、薄い布部分が通水に富み厚い布部分に比べて多くの水を流出させる部分である。厚い布部分を製作するには、例えば、綾織組織を用い、薄い布部分には平織組織を利用することができる。糸番手と撚り糸本数を適宜選択すれば織り目の透水性は変えられる。必要に応じて散水布チューブ外面の一部に樹脂のコート層を付着させておくことも可能である。【００１９】  親水素材の筒部分からの水の滲出し量は目詰まりが徐々に進行しても、内圧を変化させれば、面積効果により大きくは変化しない。必要に応じて取り外し、洗濯して汚れを取り、再び設置して使用することもできる。親水素材から構成された給水面はほぼ面状であるので下地の被散水面に形がよく馴染み、上部からの転圧に対しても柔軟に変形するので設置場所に制約が少ない。
【図面の簡単な説明】
【００２０】
【図１】  筒部分を構成する不透水素材と袖の親水素材を示している。
【図２】  図１の親水素材と不透水素材を折り曲げて結合した状態を示している。
【図３】  図２の一部を拡大して示している。
【図４】  剛性のある筒部分を用いた事例を示している。
【図５】  ３枚の袖を持つ事例を示している。
【図６】  内圧で膨らんだ状態の筒部分と袖の関係を示す説明図である。
【図７】  筒部分を棟笠木に載せた状態を示す説明図である。
【図８】  筒部分と袖を土中に埋設した状態を示す説明図である。
【符合の説明】
【００２１】  １  親水素材
３  筒部分
４  袖
１０  不透水素材
【図１】
2009281126.tif 000003
【図２】
2009281126.tif 000004
【図３】
2009281126.tif 000005
【図４】
2009281126.tif 000006
【図５】
2009281126.tif 000007
【図６】
2009281126.tif 000008
【図７】
2009281126.tif 000009
【図８】
2009281126.tif 000010